(57)【要約】【課題】エレベータかご内の清潔度を高めるために、効率的な方法でイオン濃度を保持する方法を提供する。【解決手段】   本発明は、エレベータかご内の換気を行う換気装置を備えたエレベータにおいて、エレベータかごの出入口近傍にイオン発生装置を設け、換気装置とイオン発生装置とを連動させて運転することにより、イオンカーテン効果によりドア開閉によって外気が流入してもかご内のイオン濃度が所定値以上に保たれる方法を特徴とするものである。【選択図】        図１
2005247559.tif 000002
【特許請求の範囲】
【請求項１】
乗客の出入口とエレベータかご内の換気を行う換気装置とを備えたエレベータにおいて、
前記換気装置を前記出入口の上方に配置し、前記換気装置の出口近傍にはプラスイオンとマイナスイオンの一方または両方を発生するイオン発生装置を設けたことを特徴とするイオン発生装置付きエレベータ。
【請求項２】
出入口を開閉するドアを備え、該ドアの開閉状態に応じて前記換気装置とイオン発生装置の運転を切り換える手段を備えたことを特徴とする請求項１に記載のイオン発生装置付きエレベータ。
【請求項３】
ドア閉鎖の際には弱風運転を選択することを特徴とする請求項２に記載のイオン発生装置付きエレベータ。
【請求項４】
ドア開放の際には強風運転を選択することを特徴とする請求項２に記載のイオン発生装置付きエレベータ。
【請求項５】
かご内にイオン量検出器を備え、該イオン量検出器による検出値に応じて前記換気装置とイオン発生装置の運転を切り換える手段を備えたことを特徴とする請求項１に記載のイオン発生装置付きエレベータ。
【請求項６】
出入口を開閉するドア、前記換気装置、前記イオン発生装置、及び前記イオン量検出器を備え、イオン濃度が所定値以下になったときには、ドアの開閉状態に関わらず、強風運転を選択する制御手段を備えたことを特徴とする請求項２に記載のイオン発生装置付きエレベータ。
【発明の詳細な説明】
【技術分野】
【０００１】
本発明は、イオン発生装置が備えられたエレベータ装置の改良に関するものである。
【背景技術】
【０００２】
近年、人体に有害な空気中の浮遊細菌や、いやな臭いを取り除いて、快適な生活を望む傾向にあり、空気調節装置としては、特許文献１及び２に示すような技術が提案されており、一方、エレベータ関連の技術としては、特許文献３及び４に記載の技術が開示されている。
即ち、特許文献１は、屋内において、プラスイオンとマイナスイオンを発生させて、化学反応によって生じる除菌の効果をもたせている。
特許文献２は、同じく、プラスイオンとマイナスイオンを発生させて、臭い分子及び有害分子に作用して無臭化および無害化する効果をもたせている。
一方、特許文献３は、イオン吹き出し口のみを側板に取り付けイオン発生器本体をかご天井上部に取り付けることにより、側板が昇降路に張り出して昇降路面積を増やすことなく、且つ意匠性にも優れたイオン発生器付きのかご構成を得るものである。
また、特許文献４は、図５に示すように、乗りかご出入口の上方に冷暖房装置７とは別の送風装置６を設け、ドア近傍に気壁を発生させるものである。
【特許文献１】特開２００２−９５７３１号公報
【特許文献２】特許第３４３５５４３号公報
【特許文献３】実公４８−７０１公報
【特許文献４】実開６２−１６１１７０公報
【発明の開示】
【発明が解決しようとする課題】
【０００３】
ところで、エレベータの場合は、特に乗客の出入がきわめて頻繁に行われることから、かご内のイオン濃度を一定、或いは所定値以上に保つのが困難で、このことは非常に重要な要因であり、この点の配慮が必要であった。
【課題を解決するための手段】
【０００４】
本発明は、エレベータかご内の換気を行う換気装置を備えたエレベータにおいて、乗りかごの出入口上方にプラスイオンとマイナスイオンの一方または両方を発生するイオン発生装置を設けたことを特徴とするイオン発生装置付きエレベータを提供するものである。
【発明の効果】
【０００５】
本発明は、省エネとランニングコストに配慮した適切なタイミングを捉えて、イオン発生装置から発生するプラスイオン及びマイナスイオンをエレベータかご内に放出することで極めて効率的なエレベータかご内の除菌効果を発揮する。且つ、出入口に対する外気遮蔽、即ちエアカーテン効果には換気装置を兼用して行わせるため、特別な装置を追加する必要はない。
【発明を実施するための最良の形態】
【０００６】
本発明は、イオン発生装置を内蔵した換気装置をエレベータかごの出入口上方に設け、該イオン発生装置内蔵の換気装置をドア開閉と連動させて運転することにより、ドアが開いた状態でかごに外気が流入してくるのをドア近傍で遮断し、かご内のイオン濃度を所定値以上に保持するものである。
【実施例１】
【０００７】
以下、本発明の実施例について、図面を用いて説明する。図１は本発明の一実施例を示す全体構成斜視図、図２は図１のＡ−Ａ線矢視図、図３は本発明に係る装置の動作の一例を示すフローチャート図である。
【０００８】
以下、各図中において図５と同一符号のものは同一のものを示すものとする。
【０００９】
図１で、１０は本発明に係るイオン発生装置で、例えばエレベータかご１内にイオン発生装置１０よりプラスイオンとマイナスイオンの一方または両方を放出する。また、このイオン発生装置１０は換気装置７の吹出口７ａ付近に配置され、イオン発生装置１０より放出されるプラスイオンとマイナスイオンにより空気中に浮遊するカビや菌を不活化し、その増殖を抑制することができる。そして、このイオン発生装置１０と換気装置７とが一体になった装置が、エレベータかご１内のドア近傍の天井部に設けられている。このような配置にすることにより、ドア近傍にてイオンを発生することで、カーテン効果によりドアが開いた際に外気が流入してかご内のイオン濃度が下がり清潔度がなくなるのを防止することができる。また、１２はかご内に設けられたイオン量検出器であり、検出値を、後述するように、運転回路にフィードバックすることにより効果的なイオン濃度調節を行うこともできる。
【００１０】
ここで、前記かご内におけるイオン発生装置１０と換気装置７の配置を生かしつつ省エネ効果をも発揮させるために、適切な運転方法を用意している。その一例について以下に述べる。
【００１１】
運転方法を構築するに当たり省エネを徹底するか乗客の快適性を重視するか、或いは両方の調和を重視するか、など目的に応じて運転方法を使い分けるのも一法である。実際には、各々の顧客の要望に応えた形にすることが望ましく、運転方法をカスタマイズする必要があるものと考えられるが、ここでは一例として乗場における呼び登録が入った信号を受けてイオン発生装置１０と換気装置７の運転を開始し、徐々にその風量を増していく例について図３を用いて説明する。
【００１２】
即ち、かごの停止状態から出発し、ステップ１で乗場呼び登録が入ったか否かを判断し呼び登録が入った場合、フローはステップ２に進む。ステップ２では、イオン発生装置１０と換気装置７の連動運転（弱風）を開始し、そのままステップ３に進む。そして、ステップ３ではドアが開いたか否かを判断し、ドアが開いていればそのままステップ４に進む。ステップ４では、イオン発生装置１０と換気装置７の連動運転を通常の風量若しくは強い風量（乗客の出入りの数に応じて、或いは乗客が乗り込んでくる場合だけのように変えてもよい）に上げて行う。その後、ステップ５に進み、ドアが閉じているか否かを判断しドアが閉じていなければステップ６に進む。ステップ６では乗客がいるか否かを判断し、乗客がいなければステップ７に進む。ステップ７ではかご呼び又は乗場呼びが入っているか否かを判断し、かご呼びも乗場呼びもなくなったと判断されたならば、そのままフローの初期状態に戻り換気・イオン発生装置連動運転を停止するものである。このようなフローにすることにより、ドアが開いたときに流入する外気を換気装置の通風効果により遮断し、かご内のイオン濃度を適切に保持することができる。
【００１３】
なお、前記ステップ３でドアが開いたか否かを判断しているが、これをドアが開いた後に一定時間経過したか否かを判断してもよい。かご内イオン濃度は、仮に外気が混入したとしても、ある一定時間内は所定値近傍を維持することが知られているからである。
【００１４】
また、図３に示すフローではかご内イオン濃度値を検知することなくドア開閉というイベントを受けて動作を決める運転方法を構築しているが、かご内にイオン濃度値を検知するイオン量検出器１２を設けて、これによりかご内イオン濃度値からのフィードバック信号を受けて風量を調節してもよい。
【００１５】
或いは、前記したかご内に設けられたイオン量検出器１２により検出されたイオン量が所定値以下のときに、自動的に強風運転に切り替えることで、かご内のイオン量濃度を所定値以上に保持することができるようにしてもよい。
【実施例２】
【００１６】
図４は、かご内にイオン発生装置と換気装置のセットを２組設けた実施例を示すものである。即ち、かご中央から奥側に１組を設け、かご入口近傍に今１組を設けることにより、イオン濃度を保持する目的で運転する前者と入口から流入してくる外気を遮断する後者とを役割分担することにより、かご内のイオン濃度を確実に所定値以上に保持するようにしてもよい。
【産業上の利用可能性】
【００１７】
以上の説明では、イオン発生装置を例にあげて述べているが、別の装置であってもよく、実施例に限定されないのは言うまでもないことである。
【図面の簡単な説明】
【００１８】
【図１】本発明の一実施例を示す全体構成斜視図である。
【図２】図１のＡ−Ａ矢視図である。
【図３】本発明の一実施例に係る基本的な動作を示すフローチャート図である。
【図４】本発明のその他の実施例を示す図である。
【図５】従来の実施例を示す図である。
【符号の説明】
【００１９】
１  エレベータかご
４  荷重検出装置
６  通風装置
７  換気装置
８  乗りかごドア
１０  イオン発生装置
１１  乗客検出装置
１２  イオン量検出器
【図１】
2005247559.tif 000003
【図２】
2005247559.tif 000004
【図３】
2005247559.tif 000005
【図４】
2005247559.tif 000006
【図５】
2005247559.tif 000007